(57)【特許請求の範囲】
【請求項１】
洗濯兼脱水槽の内底部に配設したパルセーターと、前記洗濯兼脱水槽の側壁高さ方向の途中に略水平方向に設けた洗濯物載置用ネットとを備え、前記洗濯物載置用ネットの設置位置より下方の前記洗濯兼脱水槽の側壁部分に、複数のにがし穴を有し、このにがし穴を介して、パルセーターの回転による水流が洗濯兼脱水槽の内部から外部に流れるように構成し、前記洗濯物載置用ネットは、その外周部に無孔の平板を有し、この平板で前記パルセーターの回転による上向きの水流をとめ、前記にがし穴を介して、外部に洗浄水を導く構成とした洗濯機。
【請求項２】
洗濯兼脱水槽の内底部に配設したパルセーターと、前記洗濯兼脱水槽の側壁高さ方向の途中に略水平方向に設けた洗濯物載置用ネットとを備え、前記洗濯物載置用ネットの設置位置より下方の前記洗濯兼脱水槽の側壁部分に、複数のにがし穴を有し、このにがし穴を介して、パルセーターの回転による水流が洗濯兼脱水槽の内部から外部に流れるように構成し、前記洗濯兼脱水槽は、前記にがし穴の上方に位置した凸部を設け、この凸部で、前記パルセーターの回転による上向きの水流をとめ、前記にがし穴を介して、外部に洗浄水を導く構成とした洗濯機。
【請求項３】
洗濯兼脱水槽の内底部に配設したパルセーターと、前記洗濯兼脱水槽の側壁高さ方向の途中に略水平方向に設けた洗濯物載置用ネットとを備え、前記洗濯物載置用ネットの設置位置より下方の前記洗濯兼脱水槽の側壁部分に、複数のにがし穴を有し、このにがし穴を介して、パルセーターの回転による水流が洗濯兼脱水槽の内部から外部に流れるように構成し、前記洗濯兼脱水槽の外側には、前記にがし穴を間隙を介して覆う覆い部材を設けた洗濯機。
【請求項４】
パルセーターの回転時のポンプ作用により洗浄水を洗濯兼脱水槽の側壁上方に向かって導く循環水路を設けるとともに、この循環水路の上方部に吐出口を設け、この吐出口から前記洗浄水を洗濯兼脱水槽内方に向け吐出するように構成した請求項１〜３いずれか１項に記載の洗濯機。
【請求項５】
パルセーターの回転時のポンプ作用により洗浄水を洗濯兼脱水槽の側壁上方に向かって導く循環水路を設けるとともに、この循環水路に連通して吐出口を設け、かつこの吐出口の少なくとも一部を洗浄時の水位よりも下方に位置させ、前記吐出口から前記洗浄水を洗濯兼脱水槽内方に向け吐出するように構成した請求項１〜３いずれか１項に記載の洗濯機。
【請求項６】
吐出口が略垂直方向に長い開口形状よりなる請求項５記載の洗濯機。
【請求項７】
洗濯兼脱水槽側壁のにがし穴は、略横長形状とした請求項１〜６いずれか１項に記載の洗濯機。
【請求項８】
パルセーターの回転を制御する制御手段を有する請求項１〜７のいずれか１項に記載の洗濯機。
【請求項９】
パルセーターの裏羽根が、一回転方向側に遅れ角を有する曲げ形状である請求項１〜８のいずれか１項に記載の洗濯機。
【請求項１０】
消泡剤を投入する消泡剤投入装置と、消泡剤の投入を制御する制御手段を有する請求項１〜９のいずれか１項に記載の洗濯機。
【発明の詳細な説明】
【０００１】
【発明の属する技術分野】
本発明は、洗濯物載置用ネットによりパルセーターが洗濯物（衣類）を攪拌しないで洗濯を行う洗濯機に関する。
【０００２】
【従来の技術】
従来の洗濯物載置用ネットを用いた洗濯方式は、図２０に示すように、底部にパルセーター３１を備えた洗濯兼脱水槽３２の、側壁高さ途中に洗濯物載置用ネット３３を備え、洗濯物を洗濯物載置用ネット３３の上に置き、所定量の水と洗剤を投入し、パルセーター３１を回転させることにより発生する吸引力により、洗濯物載置用ネット３３の上面の洗濯物に対し、上方から下方への水流（吸引水流）を起こし、洗浄水を洗濯物内部を強制的に通過させることにより、衣類を傷めることなく洗濯を行っていた。
【０００３】
【発明が解決しようとする課題】
この方式では、洗浄力は、パルセーター３１の回転による吸引水流の強さにより決まるが、パルセーター３１の回転により、上方から下方へ吸引された洗浄水は外側に送水され、パルセーター３１の上面に添い、洗濯兼脱水槽３２の側壁に当たり、洗濯兼脱水槽３２の内方へはねかえされる。そして、洗濯物載置用ネット３３より下方で、乱流が発生し、吸引力を阻害してしまうため、吸引水流を強くすることができず、洗浄力に限界があった。
【０００４】
本発明は、洗濯物載置用ネットより下方で乱流が発生するのを防止して、パルセーターの回転による吸引水流を強めることにより、高い洗浄力を確保することを目的としている。
【０００５】
【課題を解決するための手段】
本発明は上記目的を達成するために、洗濯兼脱水槽の内底部にパルセーターを配設し、洗濯兼脱水槽の側壁高さ方向の途中に洗濯物載置用ネットを略水平方向に設け、洗濯物載置用ネットの設置位置より下方の洗濯兼脱水槽の側壁部分に、複数のにがし穴を設ける。洗濯物載置用ネットは、その外周部に無孔の平板を有し、この平板でパルセーターの回転による上向きの水流をとめ、にがし穴を介して、パルセーターの回転による水流が洗濯兼脱水槽の内部から外部に流れるように構成したものである。
【０００６】
これにより、パルセーター回転により上方から下方へ吸引され、外側に送水されてパルセーターの上面に添い、洗濯兼脱水槽の側壁付近まで導かれた洗浄水は、洗濯兼脱水槽の側壁部分のにがし穴を介し、洗濯兼脱水槽の内部から外部に流れるので、洗濯物載置用ネットより下方で乱流が発生することはない。そのため、パルセーターの回転による吸引水流を強めることにより、高い洗浄力を確保することができる。
【０００７】
【発明の実施の形態】
本発明の請求項１に記載の発明は、洗濯兼脱水槽の内底部に配設したパルセーターと、前記洗濯兼脱水槽の側壁高さ方向の途中に略水平方向に設けた洗濯物載置用ネットとを備え、前記洗濯物載置用ネットの設置位置より下方の前記洗濯兼脱水槽の側壁部分に、複数のにがし穴を有し、このにがし穴を介して、パルセーターの回転による水流が洗濯兼脱水槽の内部から外部に流れるように構成し、前記洗濯物載置用ネットは、その外周部に無孔の平板を有し、この平板で前記パルセーターの回転による上向きの水流をとめ、前記にがし穴を介して、外部に洗浄水を導く構成としたものであり、洗濯物を洗濯物載置用ネット上に置くことにより、パルセーターが洗濯物を直接攪拌して傷めないようにし、また、パルセーターの回転により、上方から下方へ吸引され、外側に送水されてパルセーター上面に添い、洗濯兼脱水槽の側壁付近まで導かれた洗浄水は、洗濯物載置用ネットの無孔の平板を有する外周部に当たり、洗濯物載置用ネットの上に漏れることなく、洗濯兼脱水槽の側壁部分のにがし穴に導かれ、洗濯兼脱水槽の側壁部分のにがし穴を介して、洗濯兼脱水槽の内部から外部に流れ出ることにより、洗濯物載置用ネットより下方での乱流を防止することができ、パルセーターの回転による吸引水流を強め、高い洗浄力を確保することができる。
【０００８】
請求項２に記載の発明は、洗濯兼脱水槽の内底部に配設したパルセーターと、前記洗濯兼脱水槽の側壁高さ方向の途中に略水平方向に設けた洗濯物載置用ネットとを備え、前記洗濯物載置用ネットの設置位置より下方の前記洗濯兼脱水槽の側壁部分に、複数のにがし穴を有し、このにがし穴を介して、パルセーターの回転による水流が洗濯兼脱水槽の内部から外部に流れるように構成し、前記洗濯兼脱水槽は、前記にがし穴の上方に位置した凸部を設け、この凸部で、前記パルセーターの回転による上向きの水流をとめ、前記にがし穴を介して、外部に洗浄水を導く構成としたものであり、洗濯物を洗濯物載置用ネット上に置くことにより、パルセーターが洗濯物を直接攪拌して傷めないようにし、また、パルセーターの回転により、上方から下方へ吸引され、外側に送水されてパルセーター上面に添い、洗濯兼脱水槽の側壁付近まで導かれた洗浄水は、にがし穴の上方に位置する凸部に当たり、洗濯物載置用ネットの上に漏れることなく、洗濯兼脱水槽の側壁部分のにがし穴に導かれ、洗濯兼脱水槽の側壁部分のにがし穴を介して、洗濯兼脱水槽の内部から外部に流れ出ることにより、洗濯物載置用ネットより下方での乱流を防止することができ、吸引水流を強め、高い洗浄力を確保することができる。
【０００９】
請求項３に記載の発明は、洗濯兼脱水槽の内底部に配設したパルセーターと、前記洗濯兼脱水槽の側壁高さ方向の途中に略水平方向に設けた洗濯物載置用ネットとを備え、前記洗濯物載置用ネットの設置位置より下方の前記洗濯兼脱水槽の側壁部分に、複数のにがし穴を有し、このにがし穴を介して、パルセーターの回転による水流が洗濯兼脱水槽の内部から外部に流れるように構成し、前記洗濯兼脱水槽の外側には、前記にがし穴を間隙を介して覆う覆い部材を設けたものであり、洗濯物を洗濯物載置用ネット上に置くことにより、パルセーターが洗濯物を直接攪拌して傷めないようにし、また、パルセーターの回転により、上方から下方へ吸引され、外側に送水されてパルセーター上面に添い、洗濯兼脱水槽の側壁付近まで導かれた洗浄水は、洗濯兼脱水槽の側壁部分のにがし穴を介して、洗濯兼脱水槽の内部から外部に流れ出ることにより、洗濯物載置用ネットより下方での乱流を防止することができ、パルセーターの回転による吸引水流を強め、高い洗浄力を確保することができ、また、洗濯物載置用ネットをはずして行う通常の洗濯の時には、洗濯物が洗濯兼脱水槽の外側に飛び出し傷むのを防止できる。
【００１０】
請求項４に記載の発明は、上記請求項１〜３に記載の発明において、パルセーターの回転時のポンプ作用により洗浄水を洗濯兼脱水槽の側壁上方に向かって導く循環水路を設けるとともに、この循環水路の上方部に吐出口を設け、この吐出口から前記洗浄水を洗濯兼脱水槽内方に向け吐出するように構成したものであり、洗浄水を洗濯物載置用ネット上の洗濯物全体に上から注ぐことにより、少ない水でも洗濯可能とするとともに、洗濯物内部に洗浄水を連続して通過させることにより、洗浄力をさらに向上することができる。
【００１１】
請求項５に記載の発明は、上記請求項１〜３に記載の発明において、パルセーターの回転時のポンプ作用により洗浄水を洗濯兼脱水槽の側壁上方に向かって導く循環水路を設けるとともに、この循環水路に連通して吐出口を設け、かつこの吐出口の少なくとも一部を洗浄時の水位よりも下方に位置させ、前記吐出口から前記洗浄水を洗濯兼脱水槽内方に向け吐出するように構成したものであり、洗濯物の内部に洗浄水を連続して通過させることにより、洗浄力を向上するとともに、洗浄時の水位よりも下方の位置で洗浄水を吐出することにより、吐出された洗浄水が水面に落下し、泡が発生するのをなくすことができる。
【００１２】
請求項６に記載の発明は、上記請求項５に記載の発明において、吐出口が略垂直方向に長い開口形状よりなるものであり、洗濯物内部に洗浄水を連続して通過させることにより洗浄力を向上するとともに、洗浄時の水位よりも下方の位置で洗浄水を吐出することにより、吐出された洗浄水が水面に落下し、泡が発生するのをなくすことができる。また、略垂直方向に長い開口形状よりなるので、吐出水圧を高くすることができるので、洗濯物の上部から下部に対して、横から水圧をかけ、むらなく高い洗浄力を確保することができる。
【００１３】
請求項７に記載の発明は、上記請求項１〜６に記載の発明において、洗濯兼脱水槽側壁のにがし穴は、略横長形状としたものであり、パルセーターの回転により、上方から下方へ吸引され、外側に送水されてパルセーター上面に添い、洗濯兼脱水槽の側壁付近まで導かれ、外周部に沿って流れようとする洗浄水を、効率的ににがし穴を介して洗濯兼脱水槽の内部から外部に流すことができ、吸引水流を強め、高い洗浄力を確保することができる。
【００１４】
請求項８に記載の発明は、上記請求項１〜７に記載の発明において、パルセーターの回転を制御する制御手段を有するものであり、洗濯物の種類に応じて、パルセーターの回転数、回転時間、回転方向を制御し、衣類の傷みを抑え、汚れを落とすことができる。
【００１５】
請求項９に記載の発明は、上記請求項１〜８に記載の発明において、パルセーターの裏羽根が、一回転方向側に遅れ角を有する曲げ形状であるものであり、パルセーターの回転方向により、循環水量を増やすことができるので、高い洗浄力を確保することができる。
【００１６】
請求項１０に記載の発明は、上記請求項１〜９に記載の発明において、消泡剤を投入する消泡剤投入装置と、消泡剤の投入を制御する制御手段を有するものであり、循環水量により泡立ちが多い場合に、消泡剤を添加して泡立ちを防止し、高い洗浄力を確保することができる。
【００１７】
【実施例】
以下、本発明の実施例について、図面を参照しながら説明する。
【００１８】
（実施例１）
図１および図２に示すように、洗濯機外枠１は、内部に吊り棒２により水受け槽３を吊り下げている。洗濯兼脱水槽４は、水受け槽３内に回転自在に配設し、この洗濯兼脱水槽４の内底部にパルセーター５を回転自在に配設している。モータ６は、Ｖベルト７および減速機構８を介して、パルセーター５および洗濯兼脱水槽４を駆動する。
【００１９】
洗濯物載置用ネット９は、洗濯兼脱水槽４の側壁に着脱自在に配設しており、にがし穴１０は、洗濯兼脱水槽４の側壁の洗濯物載置用ネット９の設置位置の下方に複数個設け、このにがし穴１０を介して、パルセーター５の回転による水流が洗濯兼脱水槽４の内部から外部に流れるように構成している。
【００２０】
上記構成において動作を説明すると、洗濯物（衣類）を洗濯物載置用ネット９の上にセットし、つぎに、所定量の水と洗剤を投入した後、運転を開始する。これによって、モータ６が駆動し、Ｖベルト７および減速機構８を介してパルセーター５が回転する。洗濯物は、洗濯物載置用ネット９により、パルセーター５と仕切られているので、パルセーター５の回転により直接攪拌されることはない。
【００２１】
パルセーター５の回転によって、パルセーター５の上部の洗浄水（洗濯液またはすすぎ液）は、洗濯兼脱水槽４の中央からパルセーター５の上面部を経由して、外側へと強制的に送水される。このため、洗浄水面の中央部の上方から下方に向けて、矢印で示すように、吸引水流（上方から下方への水流）が発生し、洗濯物の内部を強制的に通過させることになり、この時、水面は低下している。また、外側に送水された洗浄水は、にがし穴１０を介して洗濯兼脱水槽４の外部に送られるので、洗濯物載置用ネット９の下方で乱流を起こし、吸引水流を阻害することはない。
【００２２】
そして、パルセーター５を停止することにより、水面は元の位置に戻り、洗濯物は洗浄水を吸い込む。パルセーター５の回転、停止を繰り返すことにより、汚れを落としていく。
【００２３】
このように本実施例によれば、パルセーター５の回転による吸引水流をにがし穴１０を介して、洗濯兼脱水槽４の外部に送水することにより、洗濯物載置用ネット９の下方での乱流を防止し、吸引水流を強めることができるので、衣類を傷めることなく、高い洗浄力を確保することができる。
【００２４】
（実施例２）
図３および図４に示すように、洗濯兼脱水槽１１の内底部にパルセーター５を回転自在に配設し、このパルセーター５に設けた裏羽根１２の外周部にポンプ室１３を形成し、洗濯兼脱水槽１１の側壁にポンプ室１３に連通した循環経路１４を水路構成部材１５ａ、１５ｂにより形成している。循環経路１４の上方部に吐出口１６を設け、この吐出口１６から洗浄水を洗濯兼脱水槽１１の中央に向けて吐出するように構成している。他の構成は上記実施例１と同じである。
【００２５】
上記構成において動作を説明すると、洗濯物を洗濯物載置用ネット９の上にセットし、つぎに、所定量の水と洗剤を投入した後、運転を開始する。これによって、モータ６が駆動し、Ｖベルト７および減速機構８を介してパルセーター５およびパルセーター５の裏羽根１２が回転する。
【００２６】
洗濯物は、洗濯物載置用ネット９により、パルセーター５と仕切られているので、パルセーター５の回転により直接攪拌されることはない。パルセーター５の上部の洗浄水は、洗濯兼脱水槽１１の中央からパルセーター５の上面部を経由して、外側へと強制的に送水される。このため、洗浄水面の中央部の上方から下方に向けて、矢印で示すように、吸引水流が発生し、洗濯物内部を強制的に通過させることになる。また、外側に送水された洗浄水は、にがし穴１０を介して洗濯兼脱水槽１１の外部に送られるので、洗濯物載置用ネット９の下方で乱流を起こし、吸引水流を阻害することはない。
【００２７】
一方、パルセーター５の裏羽根１２の回転により、洗濯兼脱水槽１１内の洗浄水がポンプ室１３から循環経路１４へと送水される。循環経路１４へ送水された洗浄水は、循環経路１４の上方部に設けた吐出口１６より洗濯兼脱水槽１１の中央に向けて吐出され、洗濯物載置用ネット９上の洗濯物に注ぐ。そして、この洗浄水は、パルセーター５の回転により、吸引力が加わり、洗濯物の内部を通過する。
【００２８】
このように本実施例によれば、パルセーター５の回転による吸引水流をにがし穴１０を介して、洗濯兼脱水槽１１の外部に送水することにより、洗濯物載置用ネット９の下方での乱流を防止し、吸引水流を強めることができ、また、洗浄水を洗濯物載置用ネット９の上にセットした洗濯物に上から注ぎ、洗浄水を洗濯物内部に強制的に連続して通過させることにより、少ない水で、衣類を傷めることなく、高い洗浄力を確保することができる。
【００２９】
（実施例３）
図５および図６に示すように、洗濯兼脱水槽１１の内底部にパルセーター５を回転自在に配設し、このパルセーター５に設けた裏羽根１２の外周部にポンプ室１３を形成し、洗濯兼脱水槽１１の側壁にポンプ室１３に連通した循環経路１４を水路構成部材１７ａ、１７ｂにより形成している。循環経路１４に洗浄時の水位よりも下方に吐出口１８を設け、この吐出口１８から洗浄水を洗濯兼脱水槽１１の中央に向けて吐出するように構成している。他の構成は上記実施例１または２と同じである。
【００３０】
上記構成において動作を説明すると、洗濯物を洗濯物載置用ネット９の上にセットし、つぎに、所定量の水と洗剤を投入した後、運転を開始する。これによって、モータ６が駆動し、Ｖベルト７および減速機構８を介してパルセーター５およびパルセーター５の裏羽根１２が回転する。
【００３１】
洗濯物は、洗濯物載置用ネット９により、パルセーター５と仕切られているので、パルセーター５の回転により直接攪拌されることはない。パルセーター５の上部の洗濯液は、洗濯兼脱水槽１１の中央からパルセーター５の上面部を経由して外側へと強制的に送水される。このため、洗浄水面の中央部の上方から下方に向けて、矢印で示すように、吸引水流が発生し、洗濯物の内部を強制的に通過させることになる。また、外側に送水された洗浄水は、にがし穴１０を介して洗濯兼脱水槽１１の外部に送られるので、洗濯物載置用ネット９の下方で乱流を起こし、吸引水流を阻害することはない。
【００３２】
一方、パルセーター５の裏羽根１２の回転により、洗濯兼脱水槽１１内の洗浄水がポンプ室１３から循環経路１４へと送水される。循環経路１４へ送水された洗浄水は、循環経路１４に設けた吐出口１８より洗浄水面より下の位置で、洗濯兼脱水槽１１の中央に向けて吐出され、この洗浄水は、パルセーター５の回転により吸引力が加わり、洗濯物の内部を通過する。また、洗浄水面より下で吐出されるので、洗浄水が泡立つことなく循環することができる。
【００３３】
このように本実施例によれば、パルセーター５の回転による吸引水流をにがし穴１０を介して洗濯兼脱水槽４の外部に送水することにより、洗濯物載置用ネット９の下方での乱流を防止し、吸引水流を強めることができ、また、洗浄水を洗浄水面より下の位置で、洗濯兼脱水槽１１の中央に向けて吐出するので、洗浄水が泡立つことなく循環し、洗浄水を洗濯物の内部に強制的に連続して通過させることにより、衣類を傷めることなく、高い洗浄力を確保することができる。
【００３４】
（実施例４）
図７および図８に示すように、水路構成部材１９ａ、１９ｂによりなる循環経路１４に、洗浄時の水位よりも下方に略垂直方向に長い開口形状よりなる吐出口２０を設け、この吐出口２０から洗浄水を洗濯兼脱水槽１１の中央に向けて吐出するように構成している。他の構成は上記実施例３と同じである。
【００３５】
上記構成において動作を説明すると、パルセーター５およびパルセーター５の裏羽根１２の回転により、洗濯兼脱水槽１１内の洗浄水がポンプ室１３から循環経路１４へと送水される。循環経路１４へ送水された洗浄水は、循環経路１４に設けた吐出口２０より洗濯兼脱水槽４の中央に向けて吐出されるが、吐出口２０は、略垂直方向に長い開口形状よりなるので、吐出水圧が高く、洗濯物上部から下部の全体にわたり、横から水圧をかけることができる。
【００３６】
このように本実施例によれば、洗浄水を洗浄水面より下の位置で、略垂直方向に長い開口形状よりなる吐出口２０より、洗濯兼脱水槽１１の中央に向けて吐出するので、洗浄水が泡立つことなく循環することができ、洗濯物載置用ネット９の上の洗濯物上部から下部までまんべんなく水圧を加えることができるので、衣類を傷めることなく、高い洗浄力をむらなく確保することができる。
【００３７】
（実施例５）
図９および図１０に示すように、洗濯物載置用ネット２１は、その外周部に無孔の平板２１ａを有し、この平板２１ａでパルセーター５の回転による上向きの水流をとめ、洗濯兼脱水槽４のにがし穴１０を介して、外部に洗浄水を導くように構成している。他の構成は上記実施例１と同じである。
【００３８】
上記構成において動作を説明すると、パルセーター５の回転によって、パルセーター５の上部の洗浄水は、洗濯兼脱水槽４の中央からパルセーター５の上面部を経由して外側へと強制的に送水される。このため、洗浄水面の中央部の上方から下方に向けて、矢印で示すように、吸引水流が発生し、洗濯物の内部を強制的に通過させることになる。また、外側に送水された洗浄水は、洗濯物載置用ネット２１の外周部の無孔の平板２１ａにより、洗濯物載置用ネット２１の上部に漏れることなく、にがし穴１０に集中的に導かれ、にがし穴１０を介して洗濯兼脱水槽４の外部に送られるので、洗濯物載置用ネット２１の下方で乱流を起こし、吸引水流を阻害することはない。
【００３９】
このように本実施例によれば、パルセーター５の回転による吸引水流を洗濯物載置用ネット２１の外周部の無孔の平板２１ａにより、にがし穴１０に集中的に導き、にがし穴１０を介して洗濯兼脱水槽４の外部に送水することにより、洗濯物載置用ネット２１の下方での乱流を防止し、吸引水流をさらに強めることができるので、衣類を傷めることなく、高い洗浄力を確保することができる。
【００４０】
なお、本実施例では、上記実施例１の洗濯物載置用ネット９に代えて、外周部に無孔の平板２１ａを有する洗濯物載置用ネット２１を装着した場合について説明したが、実施例２〜４の洗濯物載置用ネット９についても、同様に、外周部に無孔の平板２１ａを有する洗濯物載置用ネット２１を装着することで、同様の作用効果を得ることができる。
【００４１】
（実施例６）
図１１に示すように、洗濯兼脱水槽２２は、にがし穴１０の上方に凸部２３を設け、この凸部２３で、パルセーター５の回転による上向きの水流をとめ、にがし穴１０を介して外部に洗浄水を導くように構成している。他の構成は上記実施例１と同じである。
【００４２】
上記構成において動作を説明すると、パルセーター５の回転によって、パルセーター５の上部の洗浄水は、洗濯兼脱水槽２２の中央からパルセーター５の上面部を経由して、外側へと強制的に送水される。このため、洗浄水面の中央部の上方から下方に向けて、矢印で示すように、吸引水流が発生し、洗濯物内部を強制的に通過させることになる。また、外側に送水された洗浄水は、洗濯兼脱水槽２２に設けた凸部２３により、洗濯物載置用ネット９の上部に漏れることなく、にがし穴１０に集中的に導かれ、にがし穴１０を介して洗濯兼脱水槽２２の外部に送られるので、洗濯物載置用ネット９の下方で乱流を起こし、吸引水流を阻害することはない。
【００４３】
このように、本実施例によれば、パルセーター５の回転による吸引水流を洗濯兼脱水槽２２に設けた凸部２３により、にがし穴１０に集中的に導き、にがし穴１０を介して洗濯兼脱水槽２２の外部に送水することにより、洗濯物載置用ネット９の下方での乱流を防止し、吸引水流をさらに強めることができるので、衣類を傷めることなく、高い洗浄力を確保することができる。
【００４４】
なお、本実施例では、上記実施例１のにがし穴１０の上方に凸部２３を設けているが、実施例２〜５についても、同様に、にがし穴１０の上方に凸部２３を設けることで、同様の作用効果を得ることができる。
【００４５】
（実施例７）
図１２および図１３に示すように、洗濯兼脱水槽２４の側壁に、略横長形状のにがし穴２５を設けている。他の構成は上記実施例１と同じである。
【００４６】
上記構成において動作を説明すると、パルセーター５の回転によって、パルセーター５上部の洗浄水は、洗濯兼脱水槽２４の中央からパルセーター５の上面部を経由して外側へと強制的に送水される。このため、洗浄水面の中央部の上方から下方に向けて、矢印で示すように、吸引水流が発生し、洗濯物内部を強制的に通過させることになる。また、外側に送水された洗浄水は、パルセーター５の上面に添い、洗濯兼脱水槽２４の側壁付近まで導かれ、外周部に沿って流れようとするが、にがし穴２５は横長形状であるため、水が流れようとする方向に対し開口面積が大きいので、効率的に洗浄水を洗濯兼脱水槽２４の内部から外部に流すことができ、洗濯物載置用ネット９の下方で乱流を起こし、吸引水流を阻害することはない。
【００４７】
このように本実施例によれば、パルセーター５の回転による吸引水流を、横長形状で構成したにがし穴２５により、効率的に洗濯兼脱水槽２４の外部に送水することにより、洗濯物載置用ネット９の下方での乱流を防止し、吸引水流を、さらに強めることができるので、衣類を傷めることなく、高い洗浄力を確保することができる。
【００４８】
なお、本実施例では、上記実施例１のにがし穴１０に代えて、略横長形状のにがし穴２５を設けているが、実施例２〜６についても、同様に、略横長形状のにがし穴２５を設けることで、同様の作用効果を得ることができる。
【００４９】
（実施例８）
図１４および図１５に示すように、覆い部材２７は、洗濯兼脱水槽２６の側壁に設けたにがし穴１０を間隙を介して覆うように、洗濯兼脱水槽２６の外側に設けている。他の構成は上記実施例１と同じである。
【００５０】
上記構成において動作を説明すると、パルセーター５の回転により、パルセーター５の上部の洗濯液は、洗濯兼脱水槽２６の中央からパルセーター５の上面部を経由して、外側へと強制的に送水される。このため、洗浄水面の中央部の上方から下方に向けて吸引水流が発生し、洗濯物内部を強制的に通過させる。また、外側に送水された洗浄水は、にがし穴１０を介して、洗濯兼脱水槽２６と覆い部材２７の隙間から、洗濯兼脱水槽２６の外部に送られるので、洗濯物載置用ネット９の下方で乱流を起こし、上方から下方への吸引水流を阻害することはない。
【００５１】
また、洗濯物載置用ネット９をはずして行う通常の洗濯の場合、にがし穴１０を覆う覆い部材２７を、洗濯兼脱水槽２６の外側に有しているので、にがし穴１０から洗濯物の一部が飛び出し、傷むことはない。
【００５２】
このように本実施例によれば、洗濯兼脱水槽２６の側壁に設けたにがし穴１０を覆う覆い部材２７を洗濯兼脱水槽２６の外側に有しているので、洗濯物載置用ネット９をはずして行う通常の洗濯の場合、にがし穴１０から洗濯物の一部が飛び出し、傷むことを防止することができる。
【００５３】
なお、本実施例では、上記実施例１のにがし穴１０を覆い部材２７により覆うように構成しているが、実施例２〜７についても、同様に、覆い部材２７を設けることで、同様の作用効果を得ることができる。
【００５４】
（実施例９）
上記実施例２のパルセーター５の回転を制御する制御手段（図示せず）を有し、この制御手段により、パルセーター５を制御して得られる水流の基本パターンを図１６に示している。図１６（ａ）に示す水流パターンは、一般衣類を洗う場合で、パルセーター５を高速で長い時間回転し、左右交互に反転する。他の構成は上記実施例２と同じである。
【００５５】
上記構成において動作を説明すると、パルセーター５の回転により、パルセーター５上部の洗濯液は、洗濯兼脱水槽４の中央からパルセーター５の上面部を経由して、外側へと強制的に送水される。このため、洗浄水面の中央部の吸引水流が発生し、洗濯物内部を強制的に通過させることになるが、パルセーター５は高速で長時間回転しているので、吸引力が大きく、かつ循環量が多いため、洗濯物の汚れを強力に落としていく。また、外側に送水された洗浄水は多量であるが、にがし穴１０を介して、洗濯兼脱水槽４の外部に送られるので、洗濯物載置用ネット９の下方で乱流を起こし、吸引水流を阻害することはない。
【００５６】
一方、パルセーター５の裏羽根１２の回転により、洗濯兼脱水槽４内の洗浄水がポンプ室１３から循環経路１４へと送水される。
【００５７】
循環経路１４へ送水された洗浄水は、循環経路１４の上方部に設けた吐出口１６より洗濯兼脱水槽４の中央に向けて吐出され、洗濯物載置用ネット９上の洗濯物に注ぐ。そして、この洗浄水は、パルセーター５の回転により、吸引力が加わり、洗濯物の内部を通過する。
【００５８】
その後、パルセーター５を反対に回すことにより、洗濯物載置ネット９上の洗濯物を移動させ、吐出口１６から注がれる洗浄水を洗濯物全体にまんべんなくかけ、むらなく洗いとすすぎを行うことができる。
【００５９】
このように、パルセーター５を高速で長時間回転させることにより、洗浄水を洗濯物の上から多量に注ぎ、洗浄水を洗濯物内部に強い吸引力で強制的に通過させることにより、汚れを強力に落とし、また左右反転させることにより、洗濯物の位置を移動させ、まんべんなく洗浄水がかかり、むらなく洗いとすすぎを行うことができる。
【００６０】
また、図１６（ｂ）に示す水流パターンは、デリケートな衣類を洗う場合で、パルセーター５を低速で短時間、また同方向に回転する。洗濯物の移動時の衣類同士の摩擦をなくし、洗浄水を上からやさしく注ぎ、洗浄水を洗濯物内部にソフトに通過させることにより、衣類の傷みを抑え、汚れを落としていく。
【００６１】
このように本実施例によれば、パルセーター５の回転を制御する制御手段により、洗濯物の種類に応じて、パルセーター５の回転数、回転時間、回転方向を制御し、衣類の傷みを抑え、汚れを落とすことができる。
【００６２】
なお、本実施例では、上記実施例２のパルセーター５の回転を制御手段により制御するように構成しているが、実施例１または実施例３から８のパルセーター５の回転を、同様に制御することで、同様の作用効果を得ることができる。
【００６３】
（実施例１０）
図１７および図１８に示すように、パルセーター２８の裏羽根２９は、一回転方向側に遅れ角を有する曲げ形状で構成している。他の構成は上記実施例２と同じである。
【００６４】
上記構成において動作を説明すると、パルセーター２８の回転により、パルセーター２８の上部の洗濯液は、洗濯兼脱水槽１１の中央からパルセーター２８の上面部を経由して、外側へと強制的に送水される。このため、洗浄水面の中央部の上方から下方に向けて吸引水流が発生し、洗濯物内部を強制的に通過させる。また、外側に送水された洗浄水は、にがし穴１０を介して洗濯兼脱水槽１１の外部に送られるので、洗濯物載置用ネット９の下方で乱流を起こし、吸引水流を阻害することはない。
【００６５】
一方、パルセーター２８の裏羽根２９の回転により、洗濯兼脱水槽１１内の洗浄水がポンプ室１３から循環経路１４へと送水される。循環経路１４へ送水された洗浄水は、循環経路１４の上方部に設けた吐出口１６より洗濯兼脱水槽１１の中央に向けて吐出され、洗濯物載置用ネット９上の洗濯物に注ぐ。
【００６６】
そして、この洗浄水は、パルセーター２８の回転により、洗濯物の内部を通過する。裏羽根２９は、一回転方向側に遅れ角を有する曲げ形状で構成しているので、図１８の矢印に示す方向に回転させると、ポンプアップ能力が増し、循環量を増大することができる。
【００６７】
このように本実施例によれば、一回転方向側に遅れ角を有する曲げ形状で構成した裏羽根２９を回転させることにより、循環量を増大し、洗浄力を向上させることができる。
【００６８】
（実施例１１）
図１９に示すように、消泡剤投入装置３０と、消泡剤の投入を制御する制御手段（図示せず）を有している。他の構成は上記実施例９と同じである。
【００６９】
上記構成において動作を説明すると、パルセーター５の回転により、パルセーター５の上部の洗濯液は、洗濯兼脱水槽１１の中央からパルセーター５の上面部を経由して外側へと強制的に送水される。このため、洗浄水面の中央部の上方から下方に向けて吸引水流が発生し、洗濯物内部を強制的に通過させる。また、外側に送水された洗浄水は、にがし穴１０を介して洗濯兼脱水槽１１の外部に送られるので、洗濯物載置用ネット９の下方で乱流を起こし、吸引水流を阻害することはない。
【００７０】
一方、パルセーター５の裏羽根１２の回転により、洗濯兼脱水槽１１内の洗浄水がポンプ室１３から循環経路１４へと送水される。循環経路１４へ送水された洗浄水は、循環経路１４の上方部に設けた吐出口１６より洗濯兼脱水槽１１の中央に向けて吐出され、洗濯物載置用ネット９上の洗濯物に注ぐ。そして、この洗浄水は、パルセーター５の回転により、洗濯物の内部を通過する。
【００７１】
制御手段は、パルセーター５の回転が高速の場合、あるいは、長い時間回転している場合、消泡剤を所定量添加し、洗浄水の泡立ちを抑制する。
【００７２】
このように、消泡剤の添加を制御する制御手段を有しているので、洗浄水の泡立ちを抑制し、高い洗浄力を得ることができる。
【００７３】
【発明の効果】
以上のように本発明の請求項１記載の発明によれば、洗濯兼脱水槽の内底部に配設したパルセーターと、前記洗濯兼脱水槽の側壁高さ方向の途中に略水平方向に設けた洗濯物載置用ネットとを備え、前記洗濯物載置用ネットの設置位置より下方の前記洗濯兼脱水槽の側壁部分に、複数のにがし穴を有し、このにがし穴を介して、パルセーターの回転による水流が洗濯兼脱水槽の内部から外部に流れるように構成し、前記洗濯物載置用ネットは、その外周部に無孔の平板を有し、この平板で前記パルセーターの回転による上向きの水流をとめ、前記にがし穴を介して、外部に洗浄水を導く構成としたから、洗濯物を洗濯物載置用ネット上に置くことにより、パルセーターが洗濯物を直接攪拌して傷めないようにし、また、パルセーターの回転により、上方から下方へ吸引され、外側に送水されてパルセーター上面に添い、洗濯兼脱水槽の側壁付近まで導かれた洗浄水は、洗濯物載置用ネットの無孔の平板を有する外周部に当たり、洗濯物載置用ネットの上に漏れることなく、洗濯兼脱水槽の側壁部分のにがし穴に導かれ、洗濯兼脱水槽の側壁部分のにがし穴を介して、洗濯兼脱水槽の内部から外部に流れ出ることにより、洗濯物載置用ネットより下方での乱流を防止することができ、パルセーターの回転による吸引水流を強め、高い洗浄力を確保することができる。
【００７４】
また、請求項２に記載の発明によれば、洗濯兼脱水槽の内底部に配設したパルセーターと、前記洗濯兼脱水槽の側壁高さ方向の途中に略水平方向に設けた洗濯物載置用ネットとを備え、前記洗濯物載置用ネットの設置位置より下方の前記洗濯兼脱水槽の側壁部分に、複数のにがし穴を有し、このにがし穴を介して、パルセーターの回転による水流が洗濯兼脱水槽の内部から外部に流れるように構成し、前記洗濯兼脱水槽は、前記にがし穴の上方に位置した凸部を設け、この凸部で、前記パルセーターの回転による上向きの水流をとめ、前記にがし穴を介して、外部に洗浄水を導く構成としたから、洗濯物を洗濯物載置用ネット上に置くことにより、パルセーターが洗濯物を直接攪拌して傷めないようにし、また、パルセーターの回転により、上方から下方へ吸引され、外側に送水されてパルセーター上面に添い、洗濯兼脱水槽の側壁付近まで導かれた洗浄水は、にがし穴の上方に位置する凸部に当たり、洗濯物載置用ネットの上に漏れることなく、洗濯兼脱水槽の側壁部分のにがし穴に導かれ、洗濯兼脱水槽の側壁部分のにがし穴を介して、洗濯兼脱水槽の内部から外部に流れ出ることにより、洗濯物載置用ネットより下方での乱流を防止することができ、吸引水流を強め、高い洗浄力を確保することができる。
【００７５】
請求項３に記載の発明によれば、洗濯兼脱水槽の内底部に配設したパルセーターと、前記洗濯兼脱水槽の側壁高さ方向の途中に略水平方向に設けた洗濯物載置用ネットとを備え、前記洗濯物載置用ネットの設置位置より下方の前記洗濯兼脱水槽の側壁部分に、複数のにがし穴を有し、このにがし穴を介して、パルセーターの回転による水流が洗濯兼脱水槽の内部から外部に流れるように構成し、前記洗濯兼脱水槽の外側には、前記にがし穴を間隙を介して覆う覆い部材を設けたから、洗濯物を洗濯物載置用ネット上に置くことにより、パルセーターが洗濯物を直接攪拌して傷めないようにし、また、パルセーターの回転により、上方から下方へ吸引され、外側に送水されてパルセーター上面に添い、洗濯兼脱水槽の側壁付近まで導かれた洗浄水は、洗濯兼脱水槽の側壁部分のにがし穴を介して、洗濯兼脱水槽の内部から外部に流れ出ることにより、洗濯物載置用ネットより下方での乱流を防止することができ、パルセーターの回転による吸引水流を強め、高い洗浄力を確保することができ、また、洗濯物載置用ネットをはずして行う通常の洗濯の時には、洗濯物が洗濯兼脱水槽の外側に飛び出し傷むのを防止できる。
【００７６】
また、請求項４に記載の発明によれば、パルセーターの回転時のポンプ作用により洗浄水を洗濯兼脱水槽の側壁上方に向かって導く循環水路を設けるとともに、この循環水路の上方部に吐出口を設け、この吐出口から前記洗浄水を洗濯兼脱水槽内方に向け吐出するように構成したから、洗浄水を洗濯物載置用ネット上の洗濯物全体に上から注ぐことにより、少ない水でも洗濯可能とするとともに、洗濯物内部に洗浄水を連続して通過させることにより、洗浄力をさらに向上することができる。
【００７７】
また、請求項５に記載の発明によれば、パルセーターの回転時のポンプ作用により洗浄水を洗濯兼脱水槽の側壁上方に向かって導く循環水路を設けるとともに、この循環水路に連通して吐出口を設け、かつこの吐出口の少なくとも一部を洗浄時の水位よりも下方に位置させ、前記吐出口から前記洗浄水を洗濯兼脱水槽内方に向け吐出するように構成したから、洗濯物の内部に洗浄水を連続して通過させることにより、洗浄力を向上するとともに、洗浄時の水位よりも下方の位置で洗浄水を吐出することにより、吐出された洗浄水が水面に落下し、泡が発生するのをなくすことができる。
【００７８】
また、請求項６に記載の発明によれば、吐出口が略垂直方向に長い開口形状よりなるから、洗濯物内部に洗浄水を連続して通過させることにより洗浄力を向上するとともに、洗浄時の水位よりも下方の位置で洗浄水を吐出することにより、吐出された洗浄水が水面に落下し、泡が発生するのをなくすことができる。また、略垂直方向に長い開口形状よりなるので、吐出水圧を高くすることができるので、洗濯物の上部から下部に対して、横から水圧をかけ、むらなく高い洗浄力を確保することができる。
【００７９】
また、請求項７に記載の発明によれば、洗濯兼脱水槽側壁のにがし穴は、略横長形状としたから、パルセーターの回転により、上方から下方へ吸引され、外側に送水されてパルセーター上面に添い、洗濯兼脱水槽の側壁付近まで導かれ、外周部に沿って流れようとする洗浄水を、効率的ににがし穴を介して洗濯兼脱水槽の内部から外部に流すことができ、吸引水流を強め、高い洗浄力を確保することができる。
【００８０】
また、請求項８に記載の発明によれば、洗濯兼脱水槽の外側には、にがし穴を間隙を介して覆う覆い部材を設けたから、洗濯物載置用ネットをはずして行う通常の洗濯の時に、洗濯物が洗濯兼脱水槽の外側に飛び出し傷むのを防止できる。
【００８１】
また、請求項９に記載の発明によれば、パルセーターの裏羽根が、一回転方向側に遅れ角を有する曲げ形状であるから、パルセーターの回転方向により、循環水量を増やすことができるので、高い洗浄力を確保することができる。
【００８２】
また、請求項１０に記載の発明によれば、消泡剤を投入する消泡剤投入装置と、消泡剤の投入を制御する制御手段を有するから、循環水量により泡立ちが多い場合に、消泡剤を添加して泡立ちを防止し、高い洗浄力を確保することができる。
【図面の簡単な説明】
【図１】  本発明の第１の実施例の洗濯機の縦断面図
【図２】  同洗濯機の洗濯兼脱水槽の正面図
【図３】  本発明の第２の実施例の洗濯機の縦断面図
【図４】  同洗濯機の循環水路と吐出口の拡大正面図
【図５】  本発明の第３の実施例の洗濯機の縦断面図
【図６】  同洗濯機の循環水路と吐出口の拡大正面図
【図７】  本発明の第４の実施例の洗濯機の縦断面図
【図８】  同洗濯機の循環水路と吐出口の拡大正面図
【図９】  本発明の第５の実施例の洗濯機の縦断面図
【図１０】  同洗濯機の洗濯物載置ネットの平面図
【図１１】  本発明の第６の実施例の洗濯機の縦断面図
【図１２】  本発明の第７の実施例の洗濯機の縦断面図
【図１３】  同洗濯機の洗濯兼脱水槽の正面図
【図１４】  本発明の第８の実施例の洗濯機の要部縦断面図
【図１５】  同洗濯機の洗濯兼脱水槽の正面図
【図１６】  （ａ）本発明の第９の実施例の洗濯機の水流の一例を示す図
（ｂ）同洗濯機の水流の他の例を示す図
【図１７】  本発明の第１０の実施例の洗濯機の縦断面図
【図１８】  同洗濯機のパルセーターの裏面図
【図１９】  本発明の第１１の実施例の洗濯機の縦断面図
【図２０】  従来の洗濯機の縦断面図
【符号の説明】
４  洗濯兼脱水槽
５  パルセーター
９  洗濯物載置用ネット
１０  にがし穴
【図１】
0003823421.tif 000002
【図２】
0003823421.tif 000003
【図３】
0003823421.tif 000004
【図４】
0003823421.tif 000005
【図５】
0003823421.tif 000006
【図６】
0003823421.tif 000007
【図７】
0003823421.tif 000008
【図８】
0003823421.tif 000009
【図９】
0003823421.tif 000010
【図１０】
0003823421.tif 000011
【図１１】
0003823421.tif 000012
【図１２】
0003823421.tif 000013
【図１３】
0003823421.tif 000014
【図１４】
0003823421.tif 000015
【図１５】
0003823421.tif 000016
【図１６】
0003823421.tif 000017
【図１７】
0003823421.tif 000018
【図１８】
0003823421.tif 000019
【図１９】
0003823421.tif 000020
【図２０】
0003823421.tif 000021